(57)【要約】【課題】所定の画像形成ユニットにおいて現像剤の種類が変更された場合に画像品位が低下するのを防止することができるようにする。【解決手段】画像形成ユニット部、現像剤像を媒体に重ねて転写する転写部、転写された現像剤像を媒体に定着させる定着装置、及び記憶部５６を備える。所定の配設部において画像形成ユニットが変更された場合に、端末装置１１におけるユーザの操作に基づいて、サーバ装置１２の記憶部８２に記録された、現像剤の種類に対応する画像形成装置の設定が、読み出され、画像形成装置に適用される。適正な設定で画像を形成することができ、画像品位を向上させることができる。【選択図】図１
2018031911.tif 000002
【特許請求の範囲】
【請求項１】
複数の配設部に画像形成ユニットがそれぞれ配設された画像形成ユニット部、各画像形成ユニットにおいて形成された現像剤像を媒体に重ねて転写する転写部、転写された現像剤像を媒体に定着させて画像を形成する定着装置、及び記憶部を備えた画像形成装置において、
前記各配設部のうちの所定の配設部において、画像形成ユニットが、異なる種類の現像剤の画像形成ユニットに変更された場合に、画像形成装置に接続された端末装置におけるユーザの操作に基づいて、画像形成装置に接続されたサーバ装置の記憶部に記録された、画像形成ユニットの現像剤の種類に対応する画像形成装置の設定が、読み出され、画像形成装置に送信され、画像形成装置に適用されることを特徴とする画像形成装置。
【請求項２】
（ａ）前記各画像形成ユニットは、各現像剤の種類を表す現像剤情報が記録された記憶部を備え、
（ｂ）前記サーバ装置の記憶部に、画像形成装置の設定が画像形成ユニットの現像剤の種類ごとに記録され、
（ｃ）前記画像形成装置の設定は前記現像剤情報に基づいて読み出される請求項１に記載の画像形成装置。
【請求項３】
前記画像形成装置の設定は、異なる種類の現像剤の画像形成ユニットの帯電電圧、現像電圧、供給電圧及び現像ブレード電圧のうちの少なくとも一つの電圧の設定である請求項１又は２に記載の画像形成装置。
【請求項４】
前記画像形成装置の設定は、前記転写部において、異なる種類の現像剤の画像形成ユニットに形成された現像剤像を転写するための転写電圧の設定である請求項１〜３のいずれか１項に記載の画像形成装置。
【請求項５】
前記画像形成装置の設定は、前記定着装置において、現像剤像を媒体に定着させる際の定着温度の設定である請求項１〜４のいずれか１項に記載の画像形成装置。
【請求項６】
前記画像形成装置の設定は、濃度検出部によって検出された濃度に応じて参照される現像電圧の設定である請求項１〜５のいずれか１項に記載の画像形成装置。
【請求項７】
前記画像形成装置の設定は、色ずれ検出部によって色ずれを検出する際の基準となる色の設定である請求項１〜６のいずれか１項に記載の画像形成装置。
【請求項８】
前記現像剤の種類を表す現像剤情報は現像剤の色情報である請求項１〜７のいずれか１項に記載の画像形成装置。
【請求項９】
請求項１〜８のいずれか１項に記載の画像形成装置、前記端末装置及び前記サーバ装置がネットワークを介して接続される画像形成システム。
【発明の詳細な説明】
【技術分野】
【０００１】
本発明は、画像形成装置及び画像形成システムに関するものである。
【背景技術】
【０００２】
従来、プリンタ、複写機、ファクシミリ、複合機等の画像形成装置、例えば、電子写真記録方式のカラーのプリンタにおいては、ブラック、イエロー、マゼンタ及びシアンの各色の画像形成ユニットが配設され、該各画像形成ユニットにおいて、感光体ドラムの表面が、帯電ローラによって帯電させられ、ＬＥＤヘッドによって露光されて静電潜像が形成され、該静電潜像に現像ローラ上の各色の現像剤としてのトナーが付着させられてトナー像が形成されるようになっている。
【０００３】
そして、用紙カセットに収容された媒体としての用紙が、一枚ずつ給紙され、ベルト部材としての転写ベルトに吸着させられ、該転写ベルトの走行に伴って各画像形成ユニットに沿って搬送され、転写ベルトを介して各画像形成ユニットの感光体ドラムと対向させられた転写ローラによって、各感光体ドラム上のトナー像が用紙に重ねて転写され、用紙上にカラーのトナー像が形成される。該カラーのトナー像が定着器において用紙に定着させられて、カラーの画像が形成される。
【０００４】
ところで、媒体として特殊な用紙（以下「特殊用紙」という。）を使用する場合、トナーの種類、例えば、トナーの色が変更され、ブラックの画像形成ユニットに代えてホワイトの画像形成ユニットが使用されることがあるが、その場合、特殊用紙における画像が形成されない部分にトナーが付着する現象、すなわち、地かぶりが発生し、画像品位が低下することがある。
【０００５】
そこで、画像形成ユニットにおいて、現像ローラに印加される電圧の絶対値と感光体ドラムにおける、ＬＥＤヘッドによって露光されない部分、すなわち、非露光部の表面電位の絶対値との差である現像電位差を、ホワイトの画像形成ユニットにおいて他の色の画像形成ユニットより小さくすることによって、地かぶりが発生するのを防止するようにしている（例えば、特許文献１参照。）。
【先行技術文献】
【特許文献】
【０００６】
【特許文献１】特開２０１４−３２２８０号公報
【発明の概要】
【発明が解決しようとする課題】
【０００７】
しかしながら、前記従来のプリンタにおいては、各画像形成ユニットが置かれた位置に応じて現像電位差が設定されるようになっているので、特殊用紙に各色のトナー像を重ねて転写する順序を変更するために、例えば、転写ベルトの走行方向におけるホワイトの画像形成ユニットの位置を変更すると、適正な現像電位差で画像を形成することができず、画像品位が低下してしまう。
【０００８】
また、適正な現像電位差で画像を形成するためには、ホワイトの画像形成ユニットの位置が変更されるたびにプリンタが必要になり、プリンタのコストが高くなってしまう。
【０００９】
本発明は、前記従来のプリンタの問題点を解決して、各画像形成ユニットのうちの所定の画像形成ユニットにおいて現像剤の種類が変更された場合に画像品位が低下するのを防止することができ、コストを低くすることができる画像形成装置及び画像形成システムを提供することを目的とする。
【課題を解決するための手段】
【００１０】
そのために、本発明の画像形成装置においては、複数の配設部に画像形成ユニットがそれぞれ配設された画像形成ユニット部、各画像形成ユニットにおいて形成された現像剤像を媒体に重ねて転写する転写部、転写された現像剤像を媒体に定着させて画像を形成する定着装置、及び記憶部を備えるようになっている。
【００１１】
そして、前記各配設部のうちの所定の配設部において、画像形成ユニットが、異なる種類の現像剤の画像形成ユニットに変更された場合に、画像形成装置に接続された端末装置におけるユーザの操作に基づいて、画像形成装置に接続されたサーバ装置の記憶部に記録された、画像形成ユニットの現像剤の種類に対応する画像形成装置の設定が、読み出され、画像形成装置に送信され、画像形成装置に適用される。
【発明の効果】
【００１２】
本発明によれば、画像形成装置においては、複数の配設部に画像形成ユニットがそれぞれ配設された画像形成ユニット部、各画像形成ユニットにおいて形成された現像剤像を媒体に重ねて転写する転写部、転写された現像剤像を媒体に定着させて画像を形成する定着装置、及び記憶部を備えるようになっている。
【００１３】
そして、前記各配設部のうちの所定の配設部において、画像形成ユニットが、異なる種類の現像剤の画像形成ユニットに変更された場合に、画像形成装置に接続された端末装置におけるユーザの操作に基づいて、画像形成装置に接続されたサーバ装置の記憶部に記録された、画像形成ユニットの現像剤の種類に対応する画像形成装置の設定が、読み出され、画像形成装置に送信され、画像形成装置に適用される。
【００１４】
この場合、所定の配設部において、画像形成ユニットが、異なる種類の現像剤の画像形成ユニットに変更された場合に、画像形成装置に接続された端末装置におけるユーザの操作に基づいて、画像形成装置に接続されたサーバ装置の記憶部に記録された、画像形成ユニットの現像剤の種類に対応する画像形成装置の設定が、読み出され、画像形成装置に送信され、画像形成装置に適用されるので、適正な設定で画像を形成することができる。
【００１５】
その結果、画像品位を向上させることができる。
【００１６】
また、所定の配設部において、画像形成ユニットが、異なる種類の現像剤の画像形成ユニットに変更されるたびに画像形成装置が必要になることがないので、画像形成装置のコストを低くすることができる。
【図面の簡単な説明】
【００１７】
【図１】本発明の実施の形態における印刷システムのブロック図である。
【図２】本発明の実施の形態における印刷システムを示す概念図である。
【図３】本発明の実施の形態における複合機の第１の概念図である。
【図４】本発明の実施の形態における複合機の第２の概念図である。
【図５】本発明の実施の形態における画像形成ユニットの概念図である。
【図６】本発明の実施の形態におけるトナーの色情報を説明するための図である。
【図７】本発明の実施の形態における印刷システムの動作を示すフローチャートである。
【図８】本発明の実施の形態における印刷システムの動作を説明するための図である。
【図９】本発明の実施の形態における複合機の変形例を示す概念図である。
【図１０】本発明の実施の形態における各画像形成ユニットの配置パターンにおける色ずれを検出する際の基準となる色を説明するための図である。
【発明を実施するための形態】
【００１８】
以下、本発明の実施の形態について図面を参照しながら詳細に説明する。この場合、画像形成装置としての電子写真記録方式のカラーの複合機、及び該複合機によって画像を形成するための画像形成システムとしての印刷システムについて説明する。
【００１９】
図２は本発明の実施の形態における印刷システムを示す概念図である。
【００２０】
図において、Ｓｙは印刷システム、１０は複合機（ＭＦＰ：Ｍｕｌｔｉ−Ｆｕｎｃｔｉｏｎ  Ｐｅｒｉｐｈｅｒａｌ) 、１１はスマートフォン、タブレット端末等の端末装置、１２はサーバ装置、Ｎｔは、複合機１０、端末装置１１及びサーバ装置１２を接続する有線又は無線のネットワーク（インターネット）である。本実施の形態において、複合機１０及び端末装置１１は、ユーザの家庭、職場等の設置場所Ｌ１に配設され、同じユーザによって操作される。また、サーバ装置１２は設置場所Ｌ１から離れたサービスセンタＳ１に配設される。前記ネットワークＮｔによってクラウドが構成され、サーバ装置１２によってクラウドサーバが構成される。
【００２１】
前記複合機１０は、媒体としての用紙に画像を形成して印刷を行う印刷機能、原稿の画像を読み取るスキャナ機能、印刷データ、イメージデータ、設定データ等のデータを送受信する通信機能等を備え、これらの機能を組み合わせることによって、プリン夕、複写機（コピー機) 、ファクシミリ等として動作させることができる。複合機１０をプリンタとして動作させる場合、例えば、Ａ３判、Ａ４判等の所定の用紙サイズの用紙に対してカラーの画像を形成することができる。
【００２２】
次に、複合機１０について説明する。
【００２３】
図３は本発明の実施の形態における複合機の第１の概念図、図４は本発明の実施の形態における複合機の第２の概念図、図５は本発明の実施の形態における画像形成ユニットの概念図、図６は本発明の実施の形態におけるトナーの色情報を説明するための図である。なお、図３〜５において、矢印Ａによって複合機１０の上方及び下方が示され、矢印Ｂによって複合機１０の前方及び後方が示される。また、図３〜５において、紙面の手前側方向及び奥側方向が、それぞれ複合機１０の前方から見たときの複合機１０の左方及び右方として示される。
【００２４】
図において、１０は複合機、Ｃｓは筐体であり、筐体Ｃｓは前壁ｗｆ、背壁ｗｒ及び頂壁ｗｔを備える。
【００２５】
また、５１は複合機１０の全体の制御を行う制御部、５２は、端末装置１１、サーバ装置１２等とネットワークＮｔを介してデータを送受信する通信部である。例えば、端末装置１１から複合機１０に印刷データ又はイメージデータが送信されると、複合機１０において、印刷データ又はイメージデータに基づいて印刷が行われる。
【００２６】
前記筐体Ｃｓの頂壁ｗｔにおける前壁ｗｆ側の端部には、表示操作部としての操作パネル 1 3が配設される。該操作パネル１３は、液晶パネル及びタッチセンサを一体化することによって形成されたタッチパネル、並びに数字ボタン、矢印ボタン、キー、スイッチ等の組合せから成る操作要素を備える。
【００２７】
前記タッチパネルは、種々の情報を表示することによってユーザに通知するための表示部として機能するとともに、ユーザが操作することによって種々の情報を入力するための操作部として機能する。また、前記操作要素は、ユーザが操作することによって種々の情報を入力するための操作部として機能する。
【００２８】
複合機１０の本体、すなわち、装置本体の下部には、用紙Ｐを収容する媒体収容部としての用紙カセット 1 4、該用紙カセット 1 4に収容された用紙Ｐを、装置本体の中央に配設された中搬送部Ｑｐに給紙する給紙部１５等が配設される。
【００２９】
該給紙部１５は、用紙カセット 1 4と中搬送部Ｑｐとの間に配設され、媒体搬送路Ｒｔを形成するガイド１６、前記用紙カセット１４の前方の上端において、回転自在に配設され、回転に伴って、用紙Ｐを１枚ずつ分離させて媒体搬送路Ｒｔに繰り出す繰出部材としてのホッピングローラ 1 7、媒体搬送路Ｒｔにおける中搬送部Ｑｐの手前において回転自在に配設され、用紙Ｐの、搬送方向における傾斜、すなわち、斜行を矯正するレジストローラ対１８、及び媒体搬送路Ｒｔにおいてホッピングローラ１７とレジストローラ対１８との間に配設され、用紙Ｐを搬送する図示されない搬送ローラ対を備える。
【００３０】
前記装置本体の上部には、媒体搬送路Ｒｔに沿って画像形成ユニット部Ｔｕが形成される。該画像形成ユニット部Ｔｕには、用紙Ｐの搬送方向における上流側から下流側にかけて、第１〜第４の配設部としてのステーションＳＴｌ〜ＳＴ４が設定され、該各ステーションＳＴｌ〜ＳＴ４に任意の色の画像形成ユニットを着脱自在に配設することができる。例えば、図３に示されるように、ステーションＳＴｌ〜ＳＴ４にブラック、イエロー、マゼンタ及びシアンの画像形成ユニット２５Ｂｋ、２５Ｙ、２５Ｍ、２５Ｃがそれぞれ配設され、図４に示されるように、ステーションＳＴｌ〜ＳＴ４にホワイト、イエロー、マゼンタ及びシアンの画像形成ユニット２５Ｗ、２５Ｙ、２５Ｍ、２５Ｃがそれぞれ配設される。
【００３１】
各画像形成ユニット２５Ｂｋ、２５Ｙ、２５Ｍ、２５Ｃ、２５Ｗは、表面に現像剤像としてのトナー像が形成される像担持体としての感光体ドラム３１を備える。各画像形成ユニット２５Ｂｋ、２５Ｙ、２５Ｍ、２５Ｃ、２５Ｗの近傍には、各感光体ドラム３１と対向させて、感光体ドラム３１に潜像としての静電潜像を形成するための露光装置としてのＬＥＤヘッド３３が配設される。
【００３２】
そして、装置本体における前記用紙カセット１４と画像形成ユニット部Ｔｕとの間に、媒体搬送路Ｒｔに沿って転写部としての転写ユニットｕ１が配設される。
【００３３】
該転写ユニットｕ１は、ステーションＳＴ４の下方において回転自在に配設された第１のローラとしてのドライブローラＲ１、ステーションＳＴ１の下方において回転自在に配設された第２のローラとしてのアイドルローラＲ２、無端ベルトから成り、ドライブローラＲ１とアイドルローラＲ２とによって張設され、ドライブローラＲ１が回転させられるのに伴って矢印Ｃ方向に走行させられる転写ベルト２１、該転写ベルト２１の内側において、転写ベルト２１の上方側部位を介して前記各感光体ドラム３１と対向させて回転自在に配設され、感光体ドラム３１上の表面に形成されたトナー像を用紙Ｐに転写する転写部材としての転写ローラ２２、及び前記転写ベルト２１の下方側部位に当接させて配設された第１のクリーニング部としてのクリーニング装置２４を備える。該クリーニング装置２４は、転写ベルト２１に付着した現像剤としてのトナーを除去する。
【００３４】
また、装置本体内には、用紙Ｐの搬送方向における画像形成ユニット部Ｔｕより下流側に、定着装置としての定着器２６が配設される。該定着器２６は、第１の定着部材としての加熱ローラ２７及び第２の定着部材としての加圧ローラ２８を備える。加熱ローラ２７は、中心軸が左右方向に向けて延在させられた円筒体から成り、内部に加熱部材としての図示されないヒータが配設される。また、加圧ローラ２８は、加熱ローラ２７と同様に中心軸が左右方向に向けて延在させられた円筒体から成り、加熱ローラ２７に対して所定の押圧力で押し付けられる。
【００３５】
そして、用紙Ｐの搬送方向における定着器２６より下流側に排紙部２９が配設される。該排紙部２９は、給紙部１５と同様に、媒体搬送路Ｒｔを形成し、用紙Ｐを案内するガイド５３、媒体搬送路Ｒｔにおける所定の箇所に配設され、回転に伴って用紙Ｐを搬送する図示されない搬送ローラ対、及び媒体搬送路Ｒｔの端部に配設され、回転に伴って用紙Ｐを装置本体外に排出する排出ローラ対５４を備える。なお、５９は排出ローラ対５４によって排出された用紙Ｐを積載するための排出トレイである。
【００３６】
次に、画像形成ユニット２５Ｂｋ、２５Ｙ、２５Ｍ、２５Ｃ、２５Ｗについて詳細に説明する。なお、各画像形成ユニット２５Ｂｋ、２５Ｙ、２５Ｍ、２５Ｃ、２５Ｗは、いずれも同じ構造を有するので、図５に基づいて、画像形成ユニット２５Ｂｋについてだけ説明する。
【００３７】
図において、２５Ｂｋは画像形成ユニットであり、該画像形成ユニット２５Ｂｋは、矢印Ｅ方向に回転自在に配設された感光体ドラム３１、該感光体ドラム３１と当接させて矢印Ｆ方向に回転自在に配設された帯電装置としての帯電ローラ３２、感光体ドラム３１上のトナー像を現像する現像装置３５、及び感光体ドラム３１と当接させて配設された第２のクリーニング部としてのクリーニング装置３６を備える。なお、２１は転写ベルト、２２は転写ローラ、３３はＬＥＤヘッド、３９は画像形成用の駆動部としてのドラムモータである。
【００３８】
そして、前記現像装置３５は、感光体ドラム３１と当接させて矢印Ｇ方向に回転自在に配設され、トナーを保持するとともに、トナーを静電潜像に付着させる現像剤担持体としての現像ローラ３７、該現像ローラ３７と当接させて矢印Ｈ方向（矢印Ｇ方向と同じ方向）に回転自在に配設され、現像ローラ３７にトナーを供給する現像剤供給部材としてのトナー供給ローラ３８、所定の箇所を前記現像ローラ３７と当接させて配設され、現像ローラ３７上のトナーを薄層化する現像剤規制部材としての規制ブレード４１、トナーを収容する現像剤収容部としてのトナーカートリッジ４３、該トナーカートリッジ４３から供給されたトナーを溜め、前記トナー供給ローラ３８に供給する現像剤室としてのトナー室４４等を備える。
【００３９】
前記感光体ドラム３１は、金属材料、本実施の形態においては、アルミニウムから有る円筒状のアルミ素管、並びに該アルミ素管の外周に順次形成された薄膜状の電荷発生層及び電荷輸送層を備え、外周面が帯電させられる。
【００４０】
また、前記帯電ローラ３２は、ステンレス鋼等の導電性材料から成る細長い円柱状のシャフト、及び該シャフトの外周に形成されたエピクドルヒドリン等の、導電性を有する弾性層を備える。
【００４１】
前記現像ローラ３７は、ステンレス鋼等の導電性材料から成る細長い円柱状のシャフト、該シャフトの外周に巻き付けるようにして形成されたウレタンゴム、シリコーンゴム等から成る弾性層、及び該弾性層の表面を覆う表面層を備える。該表面層は、前記弾性層の表面にウレタン溶液による表面処理を施すことによって、又は前記弾性層の表面にアクリル樹脂、アクリル−フッ素共重合樹脂等を塗布することによって形成される。アクリル樹脂、アクリル−フッ素共重合樹脂等にカーボンブラックを配合することによって、表面層に導電性を付与することができる。
【００４２】
前記トナー供給ローラ３８は、ステンレス鋼等の導電性材料から成る細長い円柱状のシャフト、及び該シャフトの外周に形成され、導電性シリコーンゴム発泡体、導電性ウレタンゴム発泡体等から成る弾性層を備える。該弾性層には、導電性を付与するためにアセチレンブラック、カーボンブラック等が添加される。
【００４３】
そして、前記規制ブレード４１は、所定の厚さのステンレス鋼等の弾性材料から成り、一部に曲げ加工を施すことによって、現像ローラ３７の外周と当接する当接部が形成される。該当接部は、現像ローラ３７の外周に対して、所定の線圧を与える。
【００４４】
また、前記現像装置３５の所定の箇所、本実施の形態においては、前記トナーカートリッジ４３の頂壁に、データの書込み及び読出しができるＲＡＭ（Ｒａｎｄｏｍ  Ａｃｃｅｓｓ  Ｍｅｍｏｒｙ）から成るタグ４６が記憶部として配設される。
【００４５】
該タグ４６には、トナーカートリッジ４３に収容されたトナーの種類を表す現像剤情報、本実施の形態においては、図６に示されるような、各トナーの色、すなわち、ブラック（Ｂｋ）、イエロー（Ｙ）、マゼンタ（Ｍ）、シアン（Ｃ）、ホワイト（Ｗ）、クリア（ＣＬ）、蛍光ホワイト（ＮＷ）、蛍光イエロー（ＮＹ）、蛍光マゼンタ（ＮＭ）、蛍光シアン（ＮＣ）等を表す色情報が番号（Ｎｏ．）で記録される。例えば、画像形成ユニット２５Ｂｋのタグ４６には０が、画像形成ユニット２５Ｗのタグ４６には４が色情報として記録される。
【００４６】
ところで、本実施の形態において、画像形成ユニット２５Ｂｋ、２５Ｙ、２５Ｍ、２５Ｃに使用されるトナーは、ポリエステル樹脂、着色剤、帯電制御剤及び離型剤によって形成されたトナー母材に、外添剤として疎水性シリカを添加することによって形成される。トナー母材は、粉砕法によって粉砕された平均粒径が８〔μｍ〕の粒状体から成るが、重合法等の他の製法で形成することもできる。
【００４７】
次に、各色のトナーに使用される着色剤について説明する。
【００４８】
ブラック、イエロー、マゼンタ及びシアンのトナーについては、着色剤としてカーボンブラック（顔料) 、ピグメントイエロー、ピグメントマゼンタ及びピグメントシアンが使用され、ホワイトのトナーについては、着色剤として二酸化チタンが使用される。ホワイトのトナーによって非透明なトナー像を形成することが多いので、二酸化チタンが使用されるが、二酸化チタン以外に、酸化アルミニウム、硫酸バリウム、酸化亜鉛等の金属酸化物を使用することができる。
【００４９】
また、クリアトナーの着色剤としては、ある程度透明な顔料を使用することができる。なお、着色剤を使用しないトナーをクリアトナーとして使用することができる。
【００５０】
そして、蛍光系のトナーとしては、蛍光イエロー、蛍光マゼンタ、蛍光シアン及び蛍光ホワイトが使用され、蛍光イエローの着色剤としては、特に限定されないが、シンロイヒ社製のＳＸ１００シリーズ及びＳＸ１０００シリーズが使用される。ＳＸ１００シリーズには、ＳＸ１０５  Ｌｅｍｏｎ  Ｙｅｌｌｏｗ、ＳＸ１０６  Ｏｒａｎｇｅ  Ｙｅｌｌｏｗ等があり、ＳＸ１０００シリーズには、ＳＸ１００５  Ｌｅｍｏｎ  Ｙｅｌｌｏｗ等がある。
【００５１】
蛍光マゼンタの着色剤としては、シンロイヒ社製のＳＸ１０３７を使用することができるほかに、ＳＸ１００シリーズ及びＳＸ１０００シリーズを使用することができる。ＳＸ１００シリーズには、ＳＸ１０１  Ｒｅｄ  Ｏｒａｎｇｅ、ＳＸ１０３  Ｒｅｄ、ＳＸ１０４  Ｏｒａｎｇｅ、ＳＸ１１７  Ｐｉｎｋ、ＳＸ１２７  Ｒｏｓｅ等があり、ＳＸ１０００シリーズには、ＳＸ１００４  Ｏｒａｎｇｅ、ＳＸ１００７  Ｐｉｎｋ、ＳＸ１０３７  Ｍａｇｅｎｔａ等がある。
【００５２】
蛍光シアン及び蛍光ホワイトの着色剤としては、蛍光増白剤ＴＩＮＯＰＡＬ  ＯＢ  ＣＯ（登録商標：ＢＡＳＦ社製）を混合し、粉砕したものを使用することができる。
【００５３】
次に、前記複合機１０の動作について説明する。
【００５４】
制御部５１によって、搬送用の駆動部としての図示されない搬送モータが駆動され、前記ホッピングローラ１７、搬送ローラ対、レジストローラ対１８等が回転させられると、用紙カセット１４内の用紙Ｐが、ホッピングローラ 1 7によって媒体搬送路Ｒｔに繰り出され、ガイド１６によって上後方に折り返されるようにして案内され、搬送ローラ対によって搬送され、レジストローラ対１８によって斜行が矯正されて、中搬送部Ｑｐに供給される。なお、前記レジストローラ対１８は用紙Ｐを一旦停止させることによって用紙Ｐの搬送に抵抗力を与えることによって斜行を矯正する。
【００５５】
また、前記制御部５１によって、ドラムモータ３９が駆動され、感光体ドラム３１、帯電ローラ３２、現像ローラ３７及びトナー供給ローラ３８が回転させられるとともに、図示されない電源装置から帯電ローラ３２、現像ローラ３７、トナー供給ローラ３８及び規制ブレード４１にそれぞれ所定の電圧（バイアス電圧）、すなわち、帯電電圧、現像電圧、供給電圧及び現像ブレード電圧が印加される。これにより、帯電ローラ３２によって感光体ドラム３１の表面が一様に帯電させられる。
【００５６】
そして、制御部５１からＬＥＤヘッド３３に画像データが送られると、ＬＥＤヘッド３３によって感光体ドラム３１の表面が露光され、静電潜像が形成される。そのために、前記ＬＥＤヘッド３３には、複数のＬＥＤチップが、感光体ドラム３１の軸方向、すなわち、主走査方向に直線状に配設され、画像データに基づいた発光パターンで、所定の時間間隔ごとに各ＬＥＤチップのＬＥＤ素子が発光させられる。
【００５７】
また、現像装置３５において、トナー室４４内のトナーが、トナー供給ローラ３８によって現像ローラ３７に供給され、規制ブレード４１によって薄層化され、薄層化されたトナーが感光体ドラム３１に付着させられる。これにより、感光体ドラム３１上の静電潜像は、現像されてトナー像になる。
【００５８】
一方、転写ユニットｕ１において、端末装置１１によって、ベルト走行用の駆動部としての図示されないベルトモータが駆動され、ドライブローラＲ１が回転させられると、転写ベルト２１が走行させられ、給紙部１５によって給紙された用紙Ｐが、画像形成ユニット２５Ｂｋ、２５Ｙ、２５Ｍ、２５Ｃに沿って搬送され、その間に、制御部５１によって転写ローラ２２に所定の電圧、すなわち、転写電圧が印加され、各感光体ドラム３１上のトナー像が、転写ローラ２２によって順次重ねて用紙Ｐに転写され、用紙Ｐ上にカラーのトナー像が形成される。
【００５９】
そして、端末装置１１によって定着用の駆動部としての図示されない定着モータが駆動され、前記ヒータが通電されると、加熱ローラ２７が回転させられるとともに、ヒータが加熱され、加熱ローラ２７が加熱される。したがって、画像形成ユニット部Ｔｕから送られた用紙Ｐ上のカラーのトナー像は、加熱ローラ２７によって加熱され、溶融させられ、加圧ローラ２８によって加圧されて用紙Ｐに定着させられる。これにより、用紙Ｐ上にカラーの画像が形成される。
【００６０】
続いて、排紙部２９において、前記搬送モータによって搬送ローラ対及び排出ローラ対５４が回転させられると、用紙Ｐは媒体搬送路Ｒｔを搬送され、排出ローラ対５４によって装置本体外に排出され、排出トレイ５９上に積載される。
【００６１】
次に、印刷システムＳｙの制御装置について説明する。
【００６２】
図１は本発明の実施の形態における印刷システムのブロック図である。
【００６３】
図において、１０は複合機、１１は端末装置、１２はサーバ装置、Ｎｔはネットワークである。
【００６４】
前記複合機１０は、表示部１３Ａ、操作部１３Ｂ、制御部５１、通信部５２、各トナーカートリッジ４３のトナー残量を検出するトナー残量検出部６５、複合機１０が置かれた環境、すなわち、温度及び湿度を検出する温湿度センサ６６、色情報検出部９１、濃度検出部としての濃度センサ９２、並びに色ずれ検出部としての色ずれセンサ９３を備える。
【００６５】
そして、前記制御部５１は、演算装置としてのＣＰＵ（Ｃｅｎｔｒａｌ  Ｐｒｏｃｅｓｓｉｎｇ  Ｕｎｉｔ) ５５、及び記憶部５６を備え、該記憶部５６に、複合機１０を動作させるための種々のプログラム、データ等が記録される。前記記憶部５６は、不揮発性のメモリであるＲＯＭ( Ｒｅａｄ  Ｏｎｌｙ  Ｍｅｍｏｒｙ）、フラッシュメモリ、ハードディスクドライブ、揮発性のメモリであるＲＡＭ等から成る。
【００６６】
また、前記ＣＰＵ５５は、記憶部５６から所定のプログラムを読み出して実行することによって動作させられる計測部５７及び画像出力部５８を備える。計測部５７は、トナー残量検出部６５によって検出された各トナーカートリッジ４３のトナー残量に基づいて駆動制御部６１を駆動し、画像出力部５８は、前記通信部５２を介して端末装置１１から画像の印刷指示を受信するか、又はユーザによる操作部１３Ｂの操作に基づいて、駆動制御部６１、定着制御部６２、露光制御部６３及び電圧制御部６４に、印刷動作を行うための指示を送る。
【００６７】
画像出力部５８から送られた指示を受けると、駆動制御部６１はドラムモータ３９を駆動して回転速度を制御し、定着制御部６２は、定着器２６において加熱ローラ２７を加熱し、加熱ローラ２７の温度、すなわち、定着温度を制御し、露光制御部６３は画像データをＬＥＤヘッド３３に送り、電圧制御部６４は、帯電ローラ３２、現像ローラ３７、トナー供給ローラ３８、規制ブレード４１及び転写ローラ２２に、それぞれ、帯電電圧、現像電圧、供給電圧、現像ブレード電圧及び転写電圧を印加するとともに、各電圧を制御する。
【００６８】
前記通信部５２は、例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．３ｕ／ａｂ等の規格に準拠した有線ＬＡＮ（Ｌｏｃａｌ  Ａｒｅａ  Ｎｅｔｗｏｒｋ) 又はＩＥＥＥ８０２．１１ａ／ｂ／ｇ／ｎ／ａｃ等の規格に準拠した無線ＬＡＮによって、ネットワークＮｔと接続され、所定の変調処理、復調処理等を行いながら、端末装置１１及びサーバ装置１２からネットワークＮｔを介して受信した種々の情報、データ等を制御部５１に送ったり、制御部５１から送られた種々の情報、データ等をネットワークＮｔを介して端末装置１１及びサーバ装置１２に送信したりする。
【００６９】
したがって、例えば、制御部５１は、ユーザが操作部１３Ｂを操作することによって発生させた指示をサーバ装置１２に送信したり、所定のプログラムに基づいて、記憶部５６に記録された装置情報をサーバ装置１２に送信したりする。
【００７０】
また、色情報検出部９１は、各ステーションＳＴ１〜ＳＴ４に配設された各画像形成ユニット２５Ｂｋ、２５Ｙ、２５Ｍ、２５Ｃに配設されたタグ４６から各トナーの色情報を読み出すことによって取得する。
【００７１】
そして、濃度センサ９２は、用紙Ｐ又は転写ベルト２１、本実施の形態においては、転写ベルト２１と対向させて配設され、転写ベルト２１に濃度検出用として形成された画像パターンとしての濃度検出パターンの濃度を検出する。そのために、記憶部５６における不揮発性のＲＯＭに濃度検出パターンデータ及び現像電圧の補正用のテーブルが記録され、画像出力部５８は、ＲＯＭから濃度検出パターンデータを読み出し、転写ベルト２１に濃度検出パターンを形成する。また、濃度センサ９２は発光部及び受光部を備え、発光部の光を濃度検出パターンに照射し、濃度検出パターンにおける反射光を受光部によって受光し、受光部で発生させられた電圧を濃度として検出する。
【００７２】
画像出力部５８は、濃度センサ９２において濃度が検出されると、現像電圧の補正用のテーブルを参照し、検出された濃度に対応する現像電圧を読み出し、現像電圧を補正する。
【００７３】
さらに、色ずれセンサ９３は、用紙Ｐ又は転写ベルト２１、本実施の形態においては、転写ベルト２１と対向させて配設され、転写ベルト２１に色ずれ検出用として形成された画像パターンとしての色ずれ検出パターンの色ずれを検出する。そのために、記憶部５６における不揮発性のＲＯＭに色ずれ補正パターンデータ及び色ずれの補正用のテーブルが記録され、画像出力部５８は、ＲＯＭから色ずれ補正パターンデータを読み出し、転写ベルト２１に色ずれ補正パターンを形成する。また、色ずれセンサ９３は、発光部及び受光部を備え、発光部の光を色ずれ検出パターンに照射し、色ずれ検出パターンにおける反射光を受光部によって受光し、受光部で発生させられた電圧に基づいて色ずれを検出する。
【００７４】
そして、画像出力部５８は、色ずれセンサ９３において色ずれが検出されると、色ずれの補正用のテーブルを参照し、ＬＥＤヘッド３３に画像データを送るタイミングを読み出し、ＬＥＤヘッド３３に画像データを送るタイミングを調整する。
【００７５】
また、端末装置１１は、制御部 7 1、表示部７２、入力部７３及び通信部７４を備え、制御部７１は、複合機１０の制御部５１と同様に、図示されないＣＰＵ及び記録部を備え、表示部７２は、種々の情報を表示することによってユーザに通知するための図示されない液晶パネルを備え、入力部７３は、ユーザが操作することによって種々の情報を入力するための図示されないタッチセンサを備える。前記液晶パネル及びタッチセンサを一体化することによってタッチパネルが形成される。
【００７６】
そして、通信部７４は、ＩＥＥＥ８０２．１１ａ／ｂ／ｇ／ｎ／ａｃ等の規格に準拠した無線ＬＡＮによって、ネットワークＮｔと接続され、所定の変調処理、復調処理等を行いながら、複合機１０及びサーバ装置１２からネットワークＮｔを介して受信した種々の情報、データ等を制御部７１に送ったり、制御部７１から送られた種々の情報、データ等をネットワークＮｔを介して複合機１０及びサーバ装置１２に送信したりする。
【００７７】
このような構成により、端末装置１１は、ネットワークＮｔを介してサーバ装置１２等と種々の通信を行い、ユーザの操作に基づいて種々のプログラムを実行し、種々の情報を表示部７２に表示する。
【００７８】
サーバ装置１２は、制御部８１、記憶部８２及び通信部８３を備え、制御部８１は、図示されないＣＰＵを備え、記憶部 8 2は不揮発性のメモリであるＲＯＭ、フラッシュメモリ、ハードディスクドライブ、揮発性のメモリであるＲＡＭ等から成る。
【００７９】
前記ＣＰＵは、記憶部８２に記録された各種のプログラム等に従い、種々の演算処理を実行する。また、制御部８１は、ＣＰＵが記憶部８２から所定のプログラムを読み出して実行することによって動作させられる表示順決定部８４を備える。
【００８０】
そして、通信部８３は、ＩＥＥＥ８０２．３ｕ／ａｂ等の規格に準拠した有線ＬＡＮによって、ネットワークＮｔと接続され、所定の変調処理、復調処理等を行いながら、複合機１０及び端末装置１１からネットワークＮｔを介して受信した種々の情報、データ等を制御部８１に送ったり、制御部８１から送られた種々の情報、データ等をネットワークＮｔを介して複合機１０及び端末装置１１に送信したりする。
【００８１】
このような構成により、サーバ装置１２は、例えば、複合機１０から装置情報等の情報を受信して記憶部８２に記録したり、端末装置１１等からネットワークＮｔを介して種々の要求を受信し、要求に応じて種々の処理を実行し、実行結果を端末装置１１に送信したりする。
【００８２】
なお、サーバ装置１２を、ネットワークＮｔを介して他の複合機、端末装置等と接続し、複合機から装置情報等の情報を受信して記憶部８２に記録したり、端末装置等からネットワークＮｔを介して種々の要求を受信し、要求に応じて種々の処理を実行し、実行結果を端末装置１１に送信したりすることができる。
【００８３】
ところで、本実施の形態においては、画像形成ユニット部Ｔｕを規定の状態に置いたとき、すなわち、図３に示されるように、ステーションＳＴ１〜ＳＴ４に各画像形成ユニット２５Ｂｋ、２５Ｙ、２５Ｍ、２５Ｃを置いたときに、カラーの画像を適正に形成することができるように、記憶部５６における不揮発性のＲＯＭに、複合機１０の設定がファームウェアとして記録される。
【００８４】
すなわち、本実施の形態においては、不揮発性のＲＯＭに、ステーションＳＴ１〜ＳＴ４に置かれた画像形成ユニット２５Ｂｋ、２５Ｙ、２５Ｍ、２５Ｃの前記色情報、各画像形成ユニット２５Ｂｋ、２５Ｙ、２５Ｍ、２５Ｃごとの帯電電圧、現像電圧、供給電圧及び現像ブレード電圧、並びに転写電圧及び定着温度が記録される。
【００８５】
この場合、複合機１０のユーザが、ステーションＳＴ１〜ＳＴ４のうちの所定のステーションの画像形成ユニットにおいてトナーの種類を変更した場合、トナーの種類に対応させて複合機１０の設定を変更する必要がある。
【００８６】
そこで、本実施の形態においては、サーバ装置１２の記憶部８２に、画像形成ユニットのトナーの色ごとに複合機１０の設定が記録され、ユーザが所定のステーションの画像形成ユニットにおいてトナーの色を変更した場合に、トナーの色に対応する複合機１０の設定が取得されるようになっている。なお、前記記憶部８２において、トナーの色に対応する複合機１０の設定は、随時追加したり修正したりすることができる。
【００８７】
すなわち、サーバ装置１２の記憶部８２に、ステーションＳＴ１〜ＳＴ４にそれぞれ置かれた画像形成ユニット２５Ｂｋ、２５Ｙ、２５Ｍ、２５Ｃのうちの所定の画像形成ユニットにおいてトナーの色が変更され、所定の色の画像形成ユニットに代えて他の色の画像形成ユニットが使用されたときの複合機１０の設定、すなわち、帯電電圧、現像電圧、供給電圧及び現像ブレード電圧の各設定、転写電圧の設定、定着温度の設定等がトナーの色ごとに記録される。
【００８８】
また、サーバ装置１２の記憶部８２に、濃度補正及び色ずれ補正の設定がトナーの色に対応させて記録される。すなわち、例えば、濃度補正については、画像形成ユニットで使用されるトナーの色ごとに現像電圧の補正用のテーブルが記憶部８２に記録され、色ずれ補正については、画像形成ユニットで使用されるトナーの色ごとに、色ずれセンサ９３において色ずれを検出する際の基準となる色、及び色ずれの補正用のテーブルが記憶部８２に記録される。
【００８９】
次に、画像形成ユニット部Ｔｕにおいて、ユーザによって、各画像形成ユニット２５Ｂｋ、２５Ｙ、２５Ｍ、２５Ｃのうちの所定の画像形成ユニットが、異なる種類のトナーの画像形成ユニットに変更された場合、例えば、画像形成ユニット２５Ｂｋのトナーの色がブラックからホワイトに変更された場合の、印刷システムのＳｙの動作について説明する。
【００９０】
図７は本発明の実施の形態における印刷システムの動作を示すフローチャート、図８は本発明の実施の形態における印刷システムの動作を説明するための図である。
【００９１】
まず、複合機１０のユーザが、図３に示される複合機１０において、ステーションＳＴ１〜ＳＴ４に置かれた画像形成ユニット２５Ｂｋ、２５Ｙ、２５Ｍ、２５Ｃのうちの画像形成ユニット２５Ｂｋを画像形成ユニット２５Ｗに交換すると、端末装置１１の制御部７１は、ステーションＳＴ１〜ＳＴ４に置かれた各画像形成ユニットの色情報を読み出す。これにより、制御部７１は、ステーションＳＴ１に置かれた画像形成ユニット２５Ｂｋが画像形成ユニット２５Ｗに交換されたと判断する。
【００９２】
続いて、制御部７１は、複合機１０の記憶部５６における不揮発性のＲＯＭに、ホワイトの画像形成ユニット２５ＷをステーションＳＴ１に置いたときの複合機１０の設定がファームウェアとして記録されているかどうかを判断し、複合機１０の設定が記録されている場合、複合機１０の設定を読み出し、読み出した設定を複合機１０に適用する。
【００９３】
一方、記憶部５６における不揮発性のＲＯＭに、ホワイトの画像形成ユニットを２５ＷステーションＳＴ１に置いたときの複合機１０の設定が記録されていない場合、制御部７１は、端末装置１１をサーバ装置１２に接続し、表示部７２にＦＡＱ（Ｆｒｅｑｕｅｎｔｌｙ  Ａｓｋｅｄ  Ｑｕｅｓｔｉｏｎ）画面ｄｓ１を形成し、該ＦＡＱ画面ｄｓ１において、ユーザにステーションＳＴ１〜ＳＴ４に置かれた各画像形成ユニットの色情報を表示するかどうかを問う。
【００９４】
これに対して、ユーザがＦＡＱ画面ｄｓ１の実行キーｋ１をタッチすると、制御部７１は、表示部７２に色情報画面ｄｓ２を形成し、該色情報画面ｄｓ２に、各ステーションＳＴ１〜ＳＴ４に対応させて、画像形成ユニット２５Ｂｋ、２５Ｙ、２５Ｍ、２５Ｃの色情報、すなわち、規定の色情報であるＢｋ、Ｙ、Ｍ、Ｃを表示するとともに、画像形成ユニット２５Ｂｋを画像形成ユニット２５Ｗに交換した後の、画像形成ユニット２５Ｗ、２５Ｙ、２５Ｍ、２５Ｃの色情報、すなわち、現在の色情報であるＷ、Ｙ、Ｍ、Ｃを表示し、ステーションＳＴ１に画像形成ユニットＷを置いたときの複合機１０の設定を登録する必要がある旨を、色情報画面ｄｓ２に表示することによってユーザに通知するとともに、ユーザに、ステーションＳＴ１に画像形成ユニットＷを置いたときの複合機１０の設定をダウンロードするかどうかを問う。
【００９５】
これに対して、ユーザが色情報画面ｄｓ２の実行キーｋ２をタッチすると、サーバ装置１２の制御部８１は、画像形成ユニット２５Ｗのタグ４６に記録された色情報に基づいて、ステーションＳＴ１に画像形成ユニットＷを置いたときの複合機１０の設定を記憶部８２から読み出し、表示順決定部８４によって設定内容の表示順を決定し、端末装置１１に送信する。
【００９６】
これにより、端末装置１１の制御部７１は、表示部７２に図示されない設定表示画面を形成し、該設定表示画面に、サーバ装置１２から送信された複合機１０の設定を、表示順決定部８４によって決定された表示順に従って表示することにより、ユーザに通知する。
【００９７】
続いて、ユーザが前記設定表示画面の実行キーをタッチすると、制御部７１は、画像形成ユニットＷの設定を複合機１０に送信し、該複合機１０において、制御部５１は端末装置１１から送信された複合機１０の設定を複合機１０に適用する。
【００９８】
これにより、ステーションＳＴ１に画像形成ユニット２５Ｗが置かれたときの複合機１０の設定、すなわち、画像形成ユニット２５Ｗにおける帯電電圧、現像電圧、供給電圧及び現像ブレード電圧のうちの少なくとも一つの電圧の設定、画像形成ユニット２５Ｗに形成れたホワイトのトナー像を用紙Ｐに転写するための転写電圧の設定、定着器２６において、カラーのトナー像を用紙Ｐに定着させる際の定着温度の設定等が複合機１０に適用される。  
【００９９】
また、濃度補正において、ステーションＳＴ１に画像形成ユニット２５Ｗが置かれたときの複合機１０の設定は、濃度センサ９２によって検出された濃度に応じて参照される現像電圧の設定、すなわち、記憶部８２に記録された現像電圧の補正用のテーブルの設定であり、色ずれ補正において、ステーションＳＴ１に画像形成ユニット２５Ｗが置かれたときの複合機１０の設定は、色ずれセンサ９３によって色ずれを検出する際の基準となる色の設定であり、基準となる色はブラックからシアンに変更される。
【０１００】
次に、フローチャートについて説明する。
ステップＳ１  複合機１０のユーザが画像形成ユニット２５Ｂｋを画像形成ユニット２５Ｗに交換する。
ステップＳ２  制御部７１はホワイトの画像形成ユニット２５ＷをステーションＳＴ１に置いたときの複合機１０の設定が記録されているかどうかを判断する。複合機１０の設定が記録されている場合はステップＳ３に、複合機１０の設定が記録されていない場合はステップＳ５に進む。
ステップＳ３  制御部７１は複合機１０の設定を読み出す。
ステップＳ４  制御部７１は複合機１０の設定を複合機１０に適用し、処理を終了する。
ステップＳ５  制御部７１は端末装置１１をサーバ装置１２に接続する。
ステップＳ６  制御部７１は表示部７２にＦＡＱ画面ｄｓ１を形成する。
ステップＳ７  制御部７１は色情報画面ｄｓ２に画像形成ユニット２５Ｂｋ、２５Ｙ、２５Ｍ、２５Ｃの色情報を表示する。
ステップＳ８  制御部７１は設定表示画面に複合機１０の設定を表示する。
ステップＳ９  制御部５１は複合機１０の設定を複合機１０に適用し、処理を終了する。
【０１０１】
次に、４個又は５個の画像形成ユニットを備えた複合機１０の画像形成ユニット部Ｔｕにおいて、所定のステーションの画像形成ユニットのトナーの色を変更したり、所定のステーションの画像形成ユニットの位置を変更したりしたときの色ずれセンサ９３において色ずれを検出する際の基準となる色について説明する。
【０１０２】
図９は本発明の実施の形態における複合機の変形例を示す概念図、図１０は本発明の実施の形態における各画像形成ユニットの配置パターンにおける色ずれを検出する際の基準となる色を説明するための図である。
【０１０３】
図において、１０は複合機であり、該複合機１０においては、画像形成ユニット部ＴｕのステーションＳＴ１〜ＳＴ５に各色の画像形成ユニットが着脱自在に配設される。
【０１０４】
ステーションＳＴ１〜ＳＴ４、又はステーションＳＴ１〜ＳＴ５に各画像形成ユニットを配置するパターンが配置パターン１〜９とされ、色ずれを検出する際の基準となる色がそれぞれ設定される。
【０１０５】
すなわち、配置パターン１においては、４個の画像形成ユニット２５Ｂｋ、２５Ｙ、２５Ｍ、２５ＣがステーションＳＴ１〜ＳＴ４に置かれ、※で示されるように、色ずれを検出する際の基準となる色がブラックにされる。
【０１０６】
配置パターン２においては、４個の画像形成ユニット２５Ｗ、２５Ｙ、２５Ｍ、２５ＣがステーションＳＴ１〜ＳＴ４に置かれ、色ずれを検出する際の基準となる色がシアンにされる。
【０１０７】
配置パターン３においては、４個の画像形成ユニット２５Ｃ、２５Ｙ、２５Ｍ、２５ＷがステーションＳＴ１〜ＳＴ４に置かれ、色ずれを検出する際の基準となる色がシアンにされる。
【０１０８】
配置パターン４においては、５個の画像形成ユニット２５Ｂｋ、２５Ｙ、２５Ｍ、２５Ｃ、２５ＷがステーションＳＴ１〜ＳＴ５に置かれ、色ずれを検出する際の基準となる色がブラックにされる。
【０１０９】
配置パターン５においては、５個の画像形成ユニット２５Ｂｋ、２５Ｙ、２５Ｍ、２５Ｃ、２５ＣＬがステーションＳＴ１〜ＳＴ５に置かれ、色ずれを検出する際の基準となる色がブラックにされる。
【０１１０】
配置パターン６においては、５個の画像形成ユニット２５Ｗ、２５Ｂｋ、２５Ｙ、２５Ｍ、２５ＣがステーションＳＴ１〜ＳＴ５に置かれ、色ずれを検出する際の基準となる色がブラックにされる。
【０１１１】
配置パターン７においては、４個の画像形成ユニット２５Ｂｋ、２５ＮＹ、２５ＮＭ、２５ＮＣがステーションＳＴ１〜ＳＴ４に置かれ、色ずれを検出する際の基準となる色がブラックにされる。
【０１１２】
配置パターン８においては、４個の画像形成ユニット２５ＮＷ、２５ＮＹ、２５ＮＭ、２５ＮＣがステーションＳＴ１〜ＳＴ４に置かれ、色ずれを検出する際の基準となる色が蛍光シアンにされる。
【０１１３】
配置パターン９においては、５個の画像形成ユニット２５Ｂｋ、２５Ｙ、２５Ｍ、２５Ｃ、２５ＮＭがステーションＳＴ１〜ＳＴ５に置かれ、色ずれを検出する際の基準となる色がブラックにされる。
【０１１４】
このように、本実施の形態においては、複合機１０のユーザによって、所定のステーションの画像形成ユニットが変更される等によって、トナーの色が変更された場合に、複合機１０に接続された端末装置１１におけるユーザの操作に基づいて、複合機１０に接続されたサーバ装置１２の記憶部８２に記録された、画像形成ユニットのトナーの色に対応する複合機１０の設定が読み出され、複合機１０に送信され、複合機１０に適用されるので、適正な設定で画像を形成することができる。その結果、画像品位を向上させることができる。
【０１１５】
また、トナーの色が変更された場合において、画像形成ユニットの位置が変更されるたびに複合機１０が必要になることがないので、複合機１０のコストを低くすることができる。
【０１１６】
本実施の形態においては、各画像形成ユニットのタグ４６に記録された色情報に基づいて、複合機１０の設定が記憶部８２から読み出され、端末装置１１に送信されるようになっているが、各画像形成ユニットのタグ４６に、画像形成ユニットを識別する識別情報を記録し、サーバ装置１２の制御部８１が、タグ４６に記録された識別情報に基づいて、複合機１０の設定を記憶部８２から読み出すようにすることができる。
【０１１７】
この場合、ある複合機１０に使用された画像形成ユニットを、複合機１０と同じ構造を有する他の複合機で使用する際に、他の複合機の制御部が、画像形成ユニットのタグから識別情報を読み出してサーバ装置１２に送信すると、サーバ装置１２の制御部８１は、他の複合器から送られた識別情報に基づいて、他の複合機の設定を記憶部８２から読み出し、端末装置１１に送信する。
【０１１８】
なお、本発明は前記実施の形態に限定されるものではなく、本発明の趣旨に基づいて種々変形させることが可能であり、それらを本発明の範囲から排除するものではない。
【符号の説明】
【０１１９】
１０    複合機
１１    端末装置
１２    サーバ装置
２５Ｂｋ、２５Ｙ、２５Ｍ、２５Ｃ    画像形成ユニット
２６    定着器
５６、８２    記憶部
Ｐ    用紙
ＳＴ１〜ＳＴ４    ステーション
Ｔｕ    画像形成ユニット部
ｕ１    転写ユニット
【図１】
2018031911.tif 000003
【図２】
2018031911.tif 000004
【図３】
2018031911.tif 000005
【図４】
2018031911.tif 000006
【図５】
2018031911.tif 000007
【図６】
2018031911.tif 000008
【図７】
2018031911.tif 000009
【図８】
2018031911.tif 000010
【図９】
2018031911.tif 000011
【図１０】
2018031911.tif 000012